(57)【要約】      （修正有）【課題】夜間においても、遮蔽板に施した各種の模様を見ることができ、工事現場とその周囲との環境調和に役立つものになるガードフェンスを提供する。【解決手段】遮蔽板２にパンチング加工により複数の小孔４を設け、これら複数の小孔４により全体として各種の模様を施し、この遮蔽板２に施した各種の模様を工事現場内から照明灯Ｌで照らし出せるものとしている。そして、前記遮蔽板２と照明灯Ｌの間に光拡散用スクリーン５を介在させたものとしている。さらに、前記遮蔽板２に施した模様を反射板を使用して間接的に照明灯Ｌで照らし出せるものとしている。【選択図】図１
2005248621.tif 000002
【特許請求の範囲】
【請求項１】
遮蔽板（２）にパンチング加工により複数の小孔（４）を設け、これら複数の小孔（４）により全体として各種の模様を施し、この遮蔽板（２）に施した各種の模様を工事現場（Ｓ）内から照明灯（Ｌ）で照らし出せるものとしたことを特徴とするガードフェンス。
【請求項２】
前記複数の小孔（４）を遮蔽板（２）の全体に一定間隔で設けた小孔（３）の間に位置するようにしたことを特徴とする請求項１記載のガードフェンス。
【請求項３】
前記遮蔽板（２）と照明灯（Ｌ）の間に光拡散用スクリーン（５）を介在させたものとしたことを特徴とする請求項１記載のガードフェンス。
【請求項４】
前記遮蔽板（２）に施した模様を反射板（６）を使用して間接的に照明灯（Ｌ）で照らし出せるものとしたことを特徴とする請求項１記載のガードフェンス。
【発明の詳細な説明】
【技術分野】
【０００１】
この発明は、建築工事現場、道路工事現場等の廻りを取り囲むのに適したガードフェンスに関するものである。
【背景技術】
【０００２】
従来、この種のガードフェンスとしては、例えば図９に示したように、支持枠１１に取り付けられた遮蔽板１２にパンチング加工により複数の小孔１３を設け、これら複数の小孔１３により全体として各種の模様を施したものが存在した（特許文献１）。
【０００３】
このように構成されたガードフェンスは、建築工事現場、道路工事現場等の廻りを取り囲めば、遮蔽板１２に施した各種の模様が、工事現場とその周囲との環境調和に役立つものとなり、その模様を施すための小孔５により風通しが良くなって、強風時にも倒れにくいものとなり、工事現場等における作業者やそのガードフェンスのそばを通る人に危険が及ぶようなこともないという効果を有している。しかも、このガードフェンスは、パンチング加工により小孔１３を設けたものとしているので、各種の模様を簡単に施すことができ、またこのパンチング加工によって施した模様は、ペンキ等の塗料で模様を施した場合のようにはげ落ち易くなく、長期間の使用によってもはげ落ちてしまうようなことがないという効果を有している。
【特許文献１】特開平１０−２５９６６４号公報（第２、３頁、図１）
【発明の開示】
【発明が解決しようとする課題】
【０００４】
上記従来のガードフェンスでは、風通しが良くなって、強風時にも倒れにくいものとなり、工事現場等における作業者やそのガードフェンスのそばを通る人に危険が及ぶようなことはないという効果、各種の模様を簡単に施すことができるという効果、さらに長期間の使用によってもはげ落ちてしまうようなことがないという効果は、昼間、夜間に関係なく維持できる。
【０００５】
しかしながら、上記従来のガードフェンスでは、夜間においては、遮蔽板１２に施した各種の模様が暗くて見えなくなるので、工事現場とその周囲との環境調和に役立つものとなるという効果は失せてしまう。
【０００６】
そこで、この発明は、上記従来のガードフェンスが有する問題点を解決することをその課題としており、夜間においても、遮蔽板に施した各種の模様を見ることができ、工事現場とその周囲との環境調和に役立つものになるガードフェンスを提供することを目的としてなされたものである。
【課題を解決するための手段】
【０００７】
そのため、この発明のガードフェンスは、遮蔽板２にパンチング加工により複数の小孔４を設け、これら複数の小孔４により全体として各種の模様を施し、この遮蔽板２に施した各種の模様を工事現場Ｓ内から照明灯Ｌで照らし出せるものとしている。
【０００８】
そして、この発明のガードフェンスは、前記複数の小孔４を遮蔽板２の全体に一定間隔で設けた小孔３の間に位置するようにしている。
【０００９】
さらに、この発明のガードフェンスは、前記遮蔽板２と照明灯Ｌの間に光拡散用スクリーン５を介在させたものとしている。
【００１０】
また、この発明のガードフェンスは、前記遮蔽板２に施した模様を反射板６を使用して間接的に照明灯Ｌで照らし出せるものとしている。
【発明の効果】
【００１１】
この発明のガードフェンスは、以上に述べたように構成されているので、建築工事現場、道路工事現場等の廻りを取り囲めば、昼間、夜間に関係なく、遮蔽板２に施した各種の模様が、工事現場とその周囲との環境調和に役立つものとなる。
【００１２】
しかも、この発明のガードフェンスは、前記模様を施すための小孔５により風通しが良くなって、強風時にも倒れにくいものとなり、工事現場等における作業者やそのガードフェンスのそばを通る人に危険が及ぶようなことはないという効果を有し、しかもパンチング加工により小孔５を設けたものとしているので、各種の模様を簡単に施すことができ、またこのパンチング加工によって施した模様は、ペンキ等の塗料で模様を施した場合にようにはげ落ち易くなく、長期間の使用によってもはげ落ちてしまうようなことがないという効果を有している。
【発明を実施するための最良の形態】
【００１３】
以下、この発明のガードフェンスを実施するための最良の形態について、図面に基づき詳細に説明する。
【００１４】
この発明のガードフェンスは、図１に示したように、支持枠組（図示せず）の横枠１に隣り合わせて複数の遮蔽板２を取り付け、建築工事現場、道路工事現場等の廻りを取り囲むようにしている。また、この発明のガードフェンスは、図示していないが、コンクリートブロックなどで下部を固定して立てておけるようにした支枠体に隣り合わせて複数の遮蔽板２を取り付けたものにより、前記工事現場等の廻りを取り囲めるようにしてもよい。
【００１５】
前記遮蔽板２は、金属板や合成樹脂板からなり、図２に示したように、全体に一定間隔で複数の小孔３を設けたものとしている。そして、パンチング加工により、これら小孔３どうしの間に位置するように、遮蔽板２の任意の個所に複数の小孔４を設け、これら複数の小孔４により全体として、動物、植物、または幾何学模様等の各種の模様を施したものとしている。このようにすることにより、遮蔽板２は全体的に風通しの良いものとなる。
【００１６】
そして、この発明のガードフェンスは、図１、３に示したように、前記遮蔽板２に施した各種の模様を、工事現場Ｓ内から照明灯Ｌで照らし出せるものとしている。この場合、前記遮蔽板２と照明灯Ｌの間に光拡散用スクリーン５を介在させたものとしている。この光拡散用スクリーン５は、前記遮蔽板２の工事現場Ｓ側に設けられたこの遮蔽板２とは別の横枠１に張り渡しておくことができる。このような光拡散用スクリーン５を介在させたものとすると、照明灯Ｌからの光が拡散するので、遮蔽板２に施した各種の模様を効率良く、効果的に照らし出すことができる。なお、図４に示したように、前記光拡散用スクリーン５を介在させることなく、遮蔽板２に施した各種の模様を、工事現場Ｓ内から照明灯Ｌで直接、照らし出せるものとしてもよいのはいうまでもない。
【００１７】
さらに、この発明のガードフェンスは、図５に示したように、前記遮蔽板２に施した各種の模様を、反射板６を用いて間接的に工事現場Ｓ内から照明灯Ｌで照らし出せるものとしている。この場合、前記遮蔽板２の工事現場Ｓ側において、この遮蔽板２と平行に反射板６を立てかけ、遮蔽板２と反射板６の間に照明灯Ｌを配置し、この照明灯Ｌで反射板６を照らし、その反射板６の反射光を遮蔽板２にあて、その模様を照らし出せるものとしている。したがって、照明灯Ｌからの光は弱くなり、照明灯Ｌで直接照らし出された場合の眩しさを緩和することができる。
【００１８】
また、照明灯Ｌで直接照らし出された場合の眩しさを緩和するには、図６〜８に示したように、油紙やろう紙等の半透光性素材や、薄布や薄紙のように光が当たればその当たった光の一部が漏れるような素材からなる皮膜７で、遮蔽板２の表面を被覆したものにすることができる。このようにすれば、遮蔽板２に施した各種の模様を、工事現場Ｓ内から照明灯Ｌで照らすと、その模様が浮かび上がるようになる。
【００１９】
前記小孔３、４は、図示したものでは円形としているが、楕円形、菱形、星形、三角形、四角形等の各種の形状とすることができる。そして、前記小孔４は小孔３より大きいものとするのが、模様を際立たせることができるので好ましい。さらに、前記小孔４は、ガードフェンスのそばを通る人の足元または頭上等の視線から外れやすい位置に集中して設けたものとするのが、工事現場の内部を見せたくない場合には好ましい。なお、前記小孔４をガードフェンスのそばを通る人の視線に入りやすい位置に設けても、その複数の小孔４から工事現場の内部を覗こうとすれば、複数の小孔４がちらつくので、工事現場の内部は見えにくいものとなっている。
【００２０】
さらに、前記遮蔽板２は、一枚物として横枠１や支枠体に取り付けてもよいが、この実施の形態に示したように複数枚として横枠１や支枠体に取り付けてもよい。特に、遮蔽板２に施す模様が連続模様でない場合には、複数枚としてもその繋ぎ目が不自然になることがなく、製造コストも安くなるので好ましい。
【図面の簡単な説明】
【００２１】
【図１】この発明のガードフェンスの一実施形態を示す斜視図である。
【図２】図１中の円で囲んだ部分の拡大図である。
【図３】この発明のガードフェンスの他の実施形態を示す側面説明図である。
【図４】この発明のガードフェンスのさらに他の実施形態を示す側面説明図である。
【図５】この発明のガードフェンスのさらに他の実施形態を示す側面説明図である。
【図６】この発明のガードフェンスのさらに他の実施形態を示す斜視図である。
【図７】図６に示すこの発明のガードフェンスに使用する遮蔽板の説明図である。
【図８】図７に示す遮蔽板に施した模様を照明灯で照らし出している状態の斜視図である。
【図９】従来のガードフェンスの一例を示す正面図である。
【符号の説明】
【００２２】
１  遮蔽板
３  小孔
４  小孔
５  光拡散スクリーン
６  反射板
Ｓ  工事現場
Ｌ  照明灯
【図１】
2005248621.tif 000003
【図２】
2005248621.tif 000004
【図３】
2005248621.tif 000005
【図４】
2005248621.tif 000006
【図５】
2005248621.tif 000007
【図６】
2005248621.tif 000008
【図７】
2005248621.tif 000009
【図８】
2005248621.tif 000010
【図９】
2005248621.tif 000011